(57)【要約】      （修正有）【課題】主液と硬化液をスプレーガンで噴射するに、ノズル内で混じらないようにしてノズルの詰まりをなくすとともに、各液をモータで駆動するポンプで加圧することで便利さを確保する。【解決手段】主液と硬化液とからなる二液タイプの防虫液をスプレーガン５から噴出させる有害生物防除組成物の散布方法において、主液と硬化液をそれぞれ別々にモータ３、４で駆動されるポンプ１、２で加圧してホースリール６、７を通してスプレーガンに導く他、スプレーガンの先端にノズルチップ２６、２７を有する二つの銃身で構成して主液と硬化液をそれぞれの銃身に導く一方、各ノズルチップの向きをノズルチップから噴出される主液と硬化液がノズルチップの前方１００〜２００ｍｍで交叉するようにする。【選択図】図１
2009195126.tif 000002
【特許請求の範囲】
【請求項１】
主液と硬化液とからなる二液タイプの防虫液をスプレーガンから噴出させる有害生物防除組成物の散布方法において、主液と硬化液をそれぞれ別々にモータで駆動されるポンプで加圧してホースリールを通してスプレーガンに導く他、スプレーガンを先端にノズルチップを有する二つの銃身で構成して主液と硬化液をそれぞれの銃身に導く一方、各ノズルチップの向きをノズルチップから噴出される主液と硬化液がノズルチップの前方１００〜２００ｍｍで交叉するようにしたことを特徴とする有害生物防除組成物の散布方法。
【請求項２】
主液と硬化液とからなる二液タイプの防虫液をスプレーガンから噴出させる有害生物防除組成物の散布装置において、主液と硬化液をそれぞれ別々にモータで駆動されるポンプで加圧してホースリールを通してスプレーガンに導く他、スプレーガンを先端にノズルチップを有する二つの銃身で構成して主液と硬化液をそれぞれの銃身に導く一方、各ノズルチップの向きをノズルチップから噴出される主液と硬化液がノズルチップの前方１００〜２００ｍｍで交叉するようにしたことを特徴とする有害生物防除組成物の散布装置。
【請求項３】
銃身が左右に並設されたものである請求項２の有害生物防除組成物の散布装置。
【請求項４】
ノズルチップに噴射パターンが異なる噴射ノズルが交換可能に取り付けられる請求項２又は３の有害生物防除組成物の散布装置。
【発明の詳細な説明】
【技術分野】
【０００１】
本発明は、主液と硬化液とからなる二液タイプの有害生物防除組成物の散布方法及び装置に関するものである。
【背景技術】
【０００２】
家屋の床下廻りの土壌は非常に湿潤な状態であり、白蟻や木材腐朽菌等（有害生物）の繁殖には好適な環境である。したがって、何らかの対策を講じなければ、これらの害によって家屋が倒壊する虞もある。このため、土壌の中に有害生物防除組成物（以下、これを防虫液という）を浸透せしめて白蟻の侵入を阻止するバリア層を形成せしめたり、また、バリア層に防湿効果のある樹脂を用い、床下空間の湿度を低下せしめ腐朽菌等の生育を抑制する等の措置がとられることがある。この防虫液には、水と反応して硬化する親水性ウレタン樹脂を用いることが多く、この場合、主液となる親水性ウレタン樹脂と硬化液である水からなる二液タイプや或いは主液となるアクリル酸エステル共重合体水性エマルジョンと硬化液となる親水性ウレタン樹脂からなる二液タイプがある。二液タイプの防虫液はそれぞれ別々に噴射して混合して硬化させるが、これらに共通していることは、速硬性ということである。
【０００３】
このため、噴射器（スプレーガン）の中で混合すると、その中で硬化してしまい、噴射することができない。そこで、本出願人は、下記特許文献１に示すように、スプレーガンの中に主液と硬化液とが通る通路を二つ独立に構成し、噴出させた後に二液が混合するようにしている。具体的には、主液の周囲を硬化液が囲包する二芯状態で噴出させ、さらに、この硬化液に分岐させた通路から噴出させた硬化液を衝突させて両液を攪拌するようにしている。しかし、この構成によると、衝突が噴出口（噴射ノズル）に近い位置で起こり、硬化した防虫液が噴射ノズルに降り掛かって内部や出口を詰まらせたりしていた。また、噴出構造や操作性についても、ある種の複雑さや煩雑さがあった。
【特許文献１】特開昭６２−１５２５５７号公報
【発明の開示】
【発明が解決しようとする課題】
【０００４】
本発明は、以上の課題を解決するものであり、主液と硬化液を噴射ノズルから別々に噴出させるとともに、その混合を噴射ノズルの先端から十分に離れた位置でさせることによって噴射ノズルの詰まりを防いだものであり、同時に、主液や硬化液の加圧をモータで駆動されるポンプによることによって使い易さと性能アップを果たしたものである。
【課題を解決するための手段】
【０００５】
以上の課題の下、本発明は、請求項１に記載した、主液と硬化液とからなる二液タイプの防虫液をスプレーガンから噴出させる有害生物防除組成物の散布方法において、主液と硬化液をそれぞれ別々にモータで駆動されるポンプで加圧してホースリールを通してスプレーガンに導く他、スプレーガンを先端にノズルチップを有する二つの銃身で構成して主液と硬化液をそれぞれの銃身に導く一方、各ノズルチップの向きをノズルチップから噴出される主液と硬化液がノズルチップの前方１００〜２００ｍｍで交叉するようにしたことを特徴とする有害生物防除組成物の散布方法を提供する。
【０００６】
また、本発明は、請求項２に記載した、主液と硬化液とからなる二液タイプの防虫液をスプレーガンから噴出させる有害生物防除組成物の散布装置において、主液と硬化液をそれぞれ別々にモータで駆動されるポンプで加圧してホースリールを通してスプレーガンに導く他、スプレーガンを先端にノズルチップを有する二つの銃身で構成して主液と硬化液をそれぞれの銃身に導く一方、各ノズルチップの向きをノズルチップから噴出される主液と硬化液がノズルチップの前方１００〜２００ｍｍで交叉するようにしたことを特徴とする有害生物防除組成物の散布装置を提供する。
【０００７】
これにおいて、本発明は、請求項２の散布装置において、請求項３に記載した、銃身が左右に並設されたものである手段、請求項４に記載したノズルチップに噴射パターンが異なる噴射ノズルが交換可能に取り付けられる手段を提供したものである。
【発明の効果】
【０００８】
請求項１及び２の手段によれば、主液、硬化液ともにモータで駆動されるポンプで加圧されるものであるから、電源さえあればよく、構造が簡単で操作もやり易い。また、ホースリールを使用するから、ポンプが離れた位置にあってもよい。さらに、主液、硬化液はスプレーガンの中で別々の通路（銃身）を通り、別々のノズルチップから噴射されるから、途中で混じることはない。加えて、スプレーガン（銃身）は通常構造のものを二つ並べればよいから、構造が簡単になる。そして、別々のノズルチップから噴射された主液と硬化液とはその前方１００〜２００ｍｍの範囲で交叉するから、交叉によって硬化した防虫液が噴射ノズルに降り掛かってその内部や出口を塞ぐようなこともない。
【０００９】
さらに、請求項３の手段によれば、主液と硬化液とが同じレベルで噴出されるから、噴出個所の狙いが定め易くなって操作が楽である。また、請求項４の手段によれば、噴出対象の地相等に応じて噴出量の調整を含めて適切な噴射パターンが選択できる。
【発明を実施するための最良の形態】
【００１０】
以下、本発明の実施の形態を図面を参照して説明する。図１は本発明に係る散布装置のブロック図であるが、この散布装置は、主液と硬化液とを加圧するポンプ１、２と、このポンプ１、２を駆動するモータ３、４と、ポンプで加圧された主液と硬化液とをスプレーガン（以下、ガン）５に送る別々のホースリール６、７等からなる。なお、モータ３、４は家庭用電源で回転する単相交流モータでよいし、各ポンプ１、２に続く配管には制御用の減圧弁８、９や絞り弁１０、１１も設けられている（１２、１３は圧力計）。
【００１１】
図２はガン５の平面図、図３は図２のＡーＡ断面図であるが、本例のガン５は、銃把１４の先に二つのブロック１５、１６を取り付け、このブロック１５、１６の中に二つの銃身１７、１８を横に並べて通したものである。そして、銃身１７、１８の内部は空洞になって通路１７ａ、１８ａを形成しており、通路１７ａ、１８ａの内部には引金１９の操作で前後するニードル２０、２１が通っている。ニードル２０、２１の先端は三角形の先鋭体に形成されており、ニードル２０、２１を後退させると、先鋭体が通路１７ａ、１８ａの吐出口２２、２３から離れて隙間を形成するものである。また、銃身１７、１８の途中には、ホースリール６、７で送られて来る主液と硬化液を通路１７ａ、１８ａに送り込むニップル２４、２５も取り付けられている。
【００１２】
前方のブロック１６にはそれぞれの銃身１７、１８の吐出口２２、２３に連通するノズルチップ２６、２７が取り付けられている。そして、このノズルチップ２６、２７の先端には噴射ノズル２８、２９が取り付けられている。この噴射ノズル２８、２９は特有の噴射パターンを有しており、これを交換することで噴出する流体の噴射パターンを変更できる。以上により、引金１９を操作することで主液と硬化液は噴射ノズル２８、２９から噴出されるから、これを混ぜらせると硬化する。このため、ノズルチップ２６、２７は先端側が近づくように斜めに向けて取り付けられており、それぞれの噴射ノズル２８、２９から噴射された主液と硬化液はその前方１００〜２００ｍｍの範囲で交叉するように設定されている。こうすることで、硬化した防虫液が噴射ノズル２８、２９の内部や出口に降り掛からず、詰まらせる事態を防ぐことができる。
【００１３】
ところで、防虫液の硬化のスピードや程度は主液と硬化液との混合比率による。一般的には、主液１重量部に対して硬化液は０．０５〜２０重量部であるが、散布する場所や地形に応じて適宜に設定する。この設定は配管に組み込まれた減圧弁８、９や絞り弁１０、１１の調整及び噴射ノズル２８、２９の噴射パターンによることになる。このため、設定圧と噴射ノズル２８、２９の噴射パターンとの関係を予め求めておけば、作業において楽である。硬化した防虫液は床下等の土壌中に浸透して防虫、防菌、防湿を果すのであるが、一部は地上に露出して堆積している。
【００１４】
本発明による散布装置で散布される防虫液としては、防虫剤としてのビフェントリンをγ−プチロラクトンを溶剤として溶解させ、これを親水性ウレタン樹脂としてのハイセルＯＨ−１（東邦化学工業製）と混合させた主剤と、硬化液である水とを混合硬化させるものが例示される。前記防虫剤はこれに限定されるものではなく、ペルメトリン、プラレトリン、エトフエンプロックス、シラフルオフエン、シフエノトリン、イミダクロプリド、クロルフエナピル、フィプロニル、クロチアニジン、チアクロプリド、チアメトキサム、インドキサカルプ、ジノテフラン、メタフルミゾン等の殺虫活性を有する化合物を使用することができる。親水性ウレタン樹脂としては、ハイセルＯＨ−１の他にサンプレンＷＥ−１０４（三洋化成工業製）等を使用することができる。親水性ウレタン樹脂への防虫剤や溶剤の混合比率は、防虫剤の溶解性や防虫効力によって任意に調整すればよい。また、二液タイプの防虫液は、親水性ウレタン樹脂を使用するものに限定されるものではなく、その他の二液混合硬化型の樹脂を用いることもできる。
【図面の簡単な説明】
【００１５】
【図１】散布装置のブロック図である。
【図２】スプレーガンの平面図である。
【図３】スプレーガンの縦断面を示す図２のＡーＡ断面図である。
【符号の説明】
【００１６】
１    ポンプ
２    ポンプ
３    モータ
４    モータ
５    スプレーガン
６    ホースリール
７    ホースリール
８    減圧弁
９    減圧弁
１０  絞り弁
１１  絞り弁
１２  圧力計
１３  圧力計
１４  銃把
１５  ブロック
１６  ブロック
１７  銃身
１７ａ通路
１８  銃身
１８ａ通路
１８  吸入口
１９  引金
２０  ニードル
２１  ニードル
２２  吐出口
２３  吐出口
２４  ニップル
２５  ニップル
２６  ノズルチップ
２７  ノズルチップ
２８  噴射ノズル
２９  噴射ノズル
【図１】
2009195126.tif 000003
【図２】
2009195126.tif 000004
【図３】
2009195126.tif 000005